(57)【要約】      （修正有）【課題】  錠剤の攪拌機能に優れ、且つ錠剤のブリッジ状態の発生を防止し得る薬剤収容容器の提供。【解決手段】  容器本体の内部収納部に錠剤の搬送面を有する分配ロータ２６を軸心回りに回転自在とし、分配ロータ２６の下部に搬送面に対して径方向外方に突出する壁部２７を軸心回りに回転自在とし、壁部２７に内部収納部にある錠剤を収納させ得る上下方向の薬剤収納路４０を周方向に複数形成し、壁部２７の上面を薬剤収納路４０に向けて錠剤を案内する案内面とし、薬剤収納路４０に収納される錠剤の間を仕切る仕切り体４６を容器本体に設け、分配ロータ２６の錠剤が載置される外周面と壁部２７の案内面との境界に向けて容器本体の内壁面から突出する突出部材３を設け、突出部材３の先端部１０を分配ロータ２６の搬送面近傍まで延長させ、突出部材３は錠剤の厚み面が当接して搬送を留保し得る厚みとしている。【選択図】図１
2007269371.tif 000002
【特許請求の範囲】
【請求項１】
収容容器本体の内部収納部に、径方向外側に向けて下傾斜した錠剤の搬送面を有する分配ロータを上下方向の軸心回りに回転自在に設け、分配ロータの下部に、搬送面に対して径方向外方に突出する壁部を上下方向の軸心回りに回転自在に設け、この壁部に、内部収納部にある錠剤を収納させ得る上下方向の薬剤収納路を周方向に複数形成し、壁部の上面を、薬剤収納路に向けて錠剤を案内する案内面とし、薬剤収納路に収納される錠剤の間を仕切る仕切り体を収容容器本体に設け、仕切り体より下側にある錠剤を排出孔に落下させるようにした薬剤収容容器であって、
分配ロータの錠剤が載置される外周面と壁部の案内面との境界に向けて収容容器本体の内壁面から突出する突出部材が設けられており、突出部材は、その先端部が分配ロータの搬送面近傍まで延長されており、突出部材の少なくとも先端部は、分配ロータによって搬送された錠剤のその厚み面が当接して一時的に搬送を留保し得る厚みに形成されていることを特徴とする薬剤収容容器。
【請求項２】
分配ロータの搬送面の一部の傾斜角度を他の部分の搬送面の傾斜角度と異ならせていることを特徴とする請求項１記載の薬剤収容容器。
【請求項３】
分配ロータの搬送面は円錐面に形成されており、突出部材の先端部は分配ロータの搬送面の円錐面に水平方向で沿っていることを特徴とする請求項１または請求項２記載の薬剤収容容器。
【請求項４】
分配ロータの平面視仮想半割り線に対して突出部材における錠剤の搬送方向中心を、搬送上流側に比べて搬送下流側に位置ずれさせ、且つ前記突出量を突出部材における搬送方向全域に亙って等しくしていることを特徴とする請求項３記載の薬剤収容容器。
【請求項５】
突出部材は仕切り体の直上位置に配置されていることを特徴とする請求項１ないし請求項４の何れかに記載の薬剤収容容器。
【請求項６】
突出部材はその基端部が収容容器本体の側壁に取付けられ、且つ上下方向に位置調節可能に設けられていることを特徴とする請求項１ないし請求項５の何れかに記載の薬剤収容容器。
【請求項７】
突出部材のうち少なくとも錠剤が接触する部分をシリコンゴムで形成していることを特徴とする請求項１から請求項６の何れかに記載の薬剤収容容器。
【請求項８】
分配ロータと壁部とは、上下方向の軸心回りに相対回転する構成であることを特徴とする請求項１ないし請求項７の何れかに記載の薬剤収容容器。
【発明の詳細な説明】
【技術分野】
【０００１】
本発明は、錠剤を収容してこれを処方箋にしたがって取出す薬剤収容容器に関する。
【背景技術】
【０００２】
従来から、病院や薬局等では、錠剤を収容してこれを処方箋にしたがって取出す薬剤収容容器（錠剤フィーダ）が用いられている（例えば、特許文献１参照）。この薬剤収容容器は、内底部にロータを回転自在に組込んだ錠剤ケースをロータの回転駆動用のモータを支持する支持台に対し着脱自在に組込み、ロータ外周には複数の錠剤整列路（ポケット）を所定の間隔に設け、排出路にポケットの何れかが上下方向で合致した際に錠剤が排出されるようにしている。
【０００３】
この薬剤収容容器は、錠剤収納ケース上にロータと異なる高摩擦係数材（シリコンゴム材）をケース内底部にほぼ面一に設けている。
【０００４】
上記薬剤収容容器では、錠剤が減少しわずかに残った状態では錠剤とロータとケース内底部とのあいだに、錠剤がいわゆるブリッジされたままロータの回転に伴って移動し、ロータ外周のポケットに落下しにくくなる。そこで、上記のように、ケース内底部の任意の位置に高摩擦材料を設け、この高摩擦材料により錠剤は位置、姿勢をずらされ後続するロータのポケットに落下し、排出路から排出されることになる。
【０００５】
【特許文献１】特許第２９０９４３３号公報
【発明の開示】
【発明が解決しようとする課題】
【０００６】
しかしながら、上記のようにケース内底部に面一に高摩擦係数材を設けた場合では、錠剤が減少しわずかに残った状態でブリッジ状態となった錠剤は姿勢をずらされ後続するロータのポケットに落下し易くなるものの、錠剤数がまだ多い状態ではほとんど機能することなく、錠剤どうしの攪拌機能に乏しい。
【０００７】
そこで本発明は、上記課題に鑑み、錠剤の攪拌機能に優れ、且つ錠剤のブリッジ状態の発生を防止し得る薬剤収容容器の提供を課題とする。
【課題を解決するための手段】
【０００８】
本発明の薬剤収容容器は、収容容器本体の内部収納部に、径方向外側に向けて下傾斜した錠剤の搬送面を有する分配ロータを上下方向の軸心回りに回転自在に設け、分配ロータの下部に、搬送面に対して径方向外方に突出する壁部を上下方向の軸心回りに回転自在に設け、この壁部に、内部収納部にある錠剤を収納させ得る上下方向の薬剤収納路を周方向に複数形成し、壁部の上面を、薬剤収納路に向けて錠剤を案内する案内面とし、薬剤収納路に収納される錠剤の間を仕切る仕切り体を収容容器本体に設け、仕切り体より下側にある錠剤を排出孔に落下させるようにし、分配ロータの錠剤が載置される外周面と壁部の案内面との境界に向けて収容容器本体の内壁面から突出する突出部材が設けられており、突出部材は、その先端部が分配ロータの搬送面近傍まで延長されており、突出部材の少なくとも先端部は、分配ロータによって搬送された錠剤のその厚み面が当接して一時的に搬送を留保し得る厚みに形成されていることを特徴としている。
【０００９】
上記構成において、収容容器本体の内部収納部に多数の錠剤を収納して分配ロータが回転すると、所定の厚みを有した突出部材が邪魔板の機能を果たして或る錠剤はその厚み面が当接し、分配ロータの回転の継続により、或る錠剤以外の突出部材付近にある錠剤は突出部材を乗越えて分配ロータの回転方向に搬送されるから、その乗越え動作により、錠剤は少なくとも突出部材の厚み分だけ持上げられつつ分配ロータの回転によりその回転方向に搬送されるようになる。このことから、錠剤どうしがよく攪拌されることになって、内部収納部に錠剤が均等に広がり易くなり、したがって錠剤は搬送面を滑り落ちるようにして壁部の案内面に乗り易く、その錠剤は壁部の案内面に案内されて薬剤収納路に落下収納される。薬剤収納路に収納された錠剤は、仕切り体によって仕切られて必要個数だけ薬剤収納路から排出孔に落下する。
【００１０】
錠剤が排出されて次第に少なくなり、分配ロータ上に散在するまでになると、分配ロータと収容容器本体とのあいだに錠剤が掛かりブリッジ現象が発生し易くなる。そのような錠剤は、分配ロータの回転により突出部材に至って錠剤はその厚み面が突出部材に搬送方向上流側から当接し、これによって錠剤は一時的にその場に搬送を留保されることになるが、分配ロータの更なる回転により、搬送を留保された錠剤は微妙な動きをして、搬送を留保された錠剤は順次上流側から下流側へ移動してくる薬剤収納路に落ち易くなる。
【００１１】
本発明の薬剤収容容器は、分配ロータの搬送面の一部の傾斜角度を他の部分の搬送面の傾斜角度と異ならせていることを特徴としている。要するに、換言すれば、分配ロータの搬送面の一部を他の部分の搬送面の傾斜角度に対して急勾配としている。
【００１２】
上記構成によれば、分配ロータが回転して傾斜角度が急勾配になる領域に搬送を留保された錠剤が乗るようになると、そのブリッジ状態にある錠剤は、搬送面に沿う勾配になって搬送を留保された状態の傾斜角度からその角度が急勾配に変化するから、分配ロータと収容容器本体の内壁面との間に落ち易い状態となるから、次に移動してくる薬剤収納路に落ち易くなる。
【００１３】
本発明の薬剤収容容器は、分配ロータの搬送面は円錐面に形成されており、突出部材の先端部は分配ロータの搬送面の円錐面に水平方向で沿っていることを特徴としている。
【００１４】
上記構成によれば、搬送を留保された錠剤が分配ロータの回転に伴って搬送方向上流側から搬送方向下流側に移動した場合に、突出部材の先端部に沿って移動することになる。
【００１５】
本発明の薬剤収容容器は、分配ロータの平面視仮想半割り線に対して突出部材における錠剤の搬送方向中心を、搬送上流側に比べて搬送下流側に位置ずれさせ、且つ前記突出量を突出部材における搬送方向全域に亙って等しくしていることを特徴としている。
【００１６】
上記構成において、収容容器本体の内部収納部に多数の錠剤を収納して分配ロータが回転すると、所定の厚みを有した突出部材が邪魔板の機能を果たして或る錠剤はその厚み面が当接し、分配ロータの回転の継続により、或る錠剤以外の突出部材付近にある錠剤は突出部材を乗越えて分配ロータの回転方向に搬送されるから、その乗越え動作により、錠剤は少なくとも突出部材の厚み分だけ持上げられつつ分配ロータの回転によりその回転方向に搬送されるようになる。
【００１７】
このことから、錠剤どうしがよく攪拌されることになって、内部収納部に錠剤が均等に広がり易くなり、したがって錠剤は搬送面を滑り落ちるようにして壁部の案内面に乗り易く、その錠剤は壁部の案内面に案内されて薬剤収納路に落下収納される。薬剤収納路に収納された錠剤は、仕切り体によって仕切られて必要個数だけ薬剤収納路から排出孔に落下する。
【００１８】
本発明の薬剤収容容器は、突出部材は仕切り体の直上位置に配置されていることを特徴としている。
【００１９】
上記構成によれば、仕切り体と突出部材を共通の取付け部に取付けることが可能となり、仕切り体と突出部材とを有していても、可及的に簡単な構成とすることが可能となる。
【００２０】
本発明の薬剤収容容器では、突出部材はその基端部が収容容器本体の側壁に取付けられ、且つ上下方向に位置調節可能に設けられていることを特徴としている。
【００２１】
突出部材の上下方向の位置調節が可能であれば、場合に応じた攪拌機能の向上が可能となる。
【００２２】
本発明の薬剤収容容器では、突出部材のうち少なくとも錠剤が接触する部分をシリコンゴムで形成していることを特徴としている。
【００２３】
上記構成によれば、シリコンゴムの弾性（軟性）により、仮に錠剤が突出部材と分配ロータとの間に噛込んだとしても、錠剤に損傷が与えられるのを回避することが可能になる。
【００２４】
本発明の薬剤収容容器では、分配ロータと壁部とは、上下方向の軸心回りに相対回転する構成であることを特徴としている。
【００２５】
上記構成によれば、分配ロータと壁部との相対回転により、錠剤の攪拌性能が向上する。
【発明の効果】
【００２６】
本発明の薬剤収容容器によれば、分配ロータが回転すると、所定の厚みを有した突出部材に、或る錠剤はその厚み面が当接し、分配ロータの回転の継続により、突出部材付近にある錠剤は突出部材を乗越えて分配ロータの回転方向に搬送されるから、その乗越え動作により、錠剤は少なくとも突出部材の厚み分だけ持上げられつつ搬送され、錠剤どうしががよく攪拌されることになって、錠剤は搬送面を滑り落ちるようにして壁部の案内面に乗り易く、錠剤は壁部の案内面に案内されて薬剤収納路に落下収納される。
【００２７】
錠剤が排出されて次第に少なくなり、分配ロータ上に散在するまでになると、錠剤は、分配ロータの回転により突出部材に至って錠剤はその厚み面が突出部材に搬送方向上流側から当接し、これによって錠剤は一時的にその場に搬送を留保されることになるが、分配ロータの更なる回転により、搬送を留保された錠剤は微妙な動きをして、搬送を留保された錠剤は順次上流側から下流側へ移動してくる薬剤収納路に落ち易くなる。
【００２８】
特に、分配ロータが回転して傾斜角度が急勾配になる領域に搬送を留保された錠剤が乗るようになると、その錠剤は、搬送面に沿う勾配になって搬送を留保された状態の傾斜角度からその角度が急勾配に変化するから、分配ロータと収容容器本体の内壁面との間に落ち易い状態となり、次に移動してくる薬剤収納路に落ち易くなる。
【発明を実施するための最良の形態】
【００２９】
以下、本発明の実施形態に係る薬剤収容容器を図面に基づいて説明する。図１および図２は本発明の実施形態を示す薬剤収容容器の前後方向で縦に切断した断面図、図３は要部を中心とした水平方向（横方向）の断面図、図４は概略背面図、図５は刺激部材の単体図、図６は取付け状態を示す斜視図である。
【００３０】
これらの図（特に図６）に示すように、薬剤収容容器２０（カセッタ）は、他の薬剤収容容器２０と平面視環状となるよう組合わせるようにして用いられるもので、且つこれら薬剤収容容器群２０Ａは複数段設けるようにして使用される。
【００３１】
図１ないし図４に示すように、薬剤収容容器２０は、本体２１が薬剤、特に錠剤２２を収納するともに平面視中抜き扇形状のケース２３と、このケース２３の下方に一体に形成された上側開放の円筒状の保持枠３９と、保持枠３９を支持する台部２４とを有する。
【００３２】
薬剤収容容器２０は、それぞれ分配ロータ２６と、環状に形成された壁部２７とを備える。ケース２３の側壁は、保持枠３９に向けて傾斜してこれと一体化されいる。
【００３３】
分配ロータ２６の頂点部３１は尖った形状に形成されており、この頂点部３１は、ケース２３の上縁２３ａより低い位置にある。そしてこのケース２３には、錠剤２２をケース２３内に投入後に不図示の蓋がなされる。分配ロータ２６は略円錐形状に形成されており、その外周の円錐状面２８に、周方向且つ円錐面の傾斜方向にカットした平面部３０が複数所定間隔置き例えば周方向に１８０°置きに形成されている。すなわち円錐状面２８は錠剤２２の滑り落ち案内面であり、この案内面は、曲面１と平面２の複合した面によって形成されている。特にこの実施形態では、曲面１の勾配θ１は平面２の勾配θ２に比べて急峻に形成されている。しかしながら、曲面１の勾配θ１と平面２の勾配θ２との関係は、逆でもよい。要は、円錐状面２８を勾配の異なる面の複合によって形成してあればよい。滑り落ち案内面の下端には、下方に向けて延長される円筒面２８ａが形成されている。
【００３４】
分配ロータ２６の円筒面２８ａの最大径は、壁部２７の最大径に比べて小さく設定されている。この構成により、壁部２７は、分配ロータ２６の円筒面２８ａの下端部から径方向外方に突出する薬剤案内部３８を有する。この薬剤案内部３８に、錠剤２２を一個収納させ得る上下方向の薬剤収納路４０が周方向に所定間隔をもって複数形成されている。この実施形態の場合、薬剤収納路４０の周方向幅ｂ１は、錠剤２２が一個だけ、且つしっくり収納される幅に設定されている。壁部２７の外周面２７ａと保持枠３９の内周面３９ａとの間には、錠剤２２が進入し得ない環状のわずかな隙間が形成されている。
【００３５】
分配ロータ２６と壁部２７とは、一般的な相対回転機構３２を介して、台部２４に相対回転自在、即ち異なる速度で同方向に回転自在に装着されている。この構成のように、分配ロータ２６と壁部２７とを相対回転自在としたことにより、分配ロータ２６の曲面１と平面２とは、交互に隣合う薬剤収納路４０に対する内径側に到達し、位置することになる。分配ロータ２６は、相対回転機構３２として、その中心に上下方向の支軸３５が形成されており、この支軸３５（軸心）周りに一方向に回転自在に構成されている。
【００３６】
壁部２７は、分配ロータ２６の下方外周部に配置されている。壁部２７は分配ロータ２６の下面２６ｂにほぼ摺接した状態で、相対回転機構３２として、上下方向の支軸３６（軸心）周りに回転自在となるよう設けられている。なお、支軸３５，３６どうしは同心であり、同一方向へ異なった速度で回転するよう構成されている。
【００３７】
薬剤案内部３８の上面は水平面であり、この水平面は分配ロータ２６と壁部２７との相対回転により錠剤２２を攪拌しつつ薬剤収納路４０の錠剤搬送方向上流側（以下単に「上流側」と称す）Ａから錠剤搬送方向下流側（以下単に「下流側」と称す）Ｂに向けて案内する平面視円弧状の案内平面４１とされている。
【００３８】
この実施形態における薬剤収容容器２０は、ケース２３内の錠剤２２を攪拌する機能と、錠剤２２のケース２３内の残量が少なくなった（分配ロータ２６上に散在するような個数まで減少した）際に、その錠剤２２を薬剤収納路４０に落下させる機能とを有する突出部材（以下「刺激部材」という）３を備えている。
【００３９】
図５に示すように、刺激部材３は、刺激部４と、基端部５とを有する。刺激部４は、上下方向の板状の基部６と、水平方向の板状の先端刺激片７とからなり、湾曲した板状に形成されている。先端刺激片７と基部６は等しい左右方向長さ（錠剤搬送方向長さ）を有し、先端刺激片７は基部６の上下方向中心から保持枠３９に形成された横長の挿通孔８を挿通して、分配ロータ２６側へ突出している。挿通孔８の上下幅ｔ３は、先端刺激片７の厚みｔ１に比べて大きく設定されている。この構成により、先端刺激片７は挿通孔８の範囲内で、上下方向に撓むことが可能となっている。
【００４０】
また、先端刺激片７は、分配ロータ２６の、錠剤２２が載置される円錐状面２８（錠剤２２の滑り落ち案内面）円筒面２８ａとの境界に向けて突出するものである。先端刺激片７は、その先端部１０が円錐状面２８（錠剤２２の滑り落ち案内面）円筒面２８ａとの境界近傍まで延長されている。あるいは分配ロータ２６の回転に影響のない程度でわずかに接触させるようにしてもよい。先端刺激片７の先端部１０は分配ロータ２６の円錐状面２８に水平方向面内で沿うように設けられている。要するに、先端刺激片７の先端部１０は分配ロータ２６の円錐状面２８に同心である。さらに、先端部１０は、先端刺激片７の上面７ｃ側が上方に凸となる湾曲面であり、下面７ｄ側が平面に形成されている。
【００４１】
先端刺激片７の先端部１０（先端刺激片７の先端）における保持枠３９からの突出量δ１が、錠剤２２の径ｄ１よりも小さい。先端刺激片７は板状に形成されており、その所定の厚みｔ１を有している。その厚みｔ１は、分配ロータ２６によって搬送された錠剤２２の外周面である厚み面２２ａが当接した場合、一時的に錠剤２２の下流側Ｂへの搬送を留保し得る厚みである。また前記突出量δ１は先端刺激片７における搬送方向全域に亙って等しくしている。
【００４２】
先端刺激片７は、分配ロータ２６の平面視仮想半割り線Ｆに対して突出部材における錠剤２２の搬送方向中心ｆを、上流側Ａに比べて下流側Ｂに距離δ２だけ位置ずれさせている。この構成により、先端刺激片７において上流側Ａと下流側Ｂとでは、支持部６１からの突出量が下流側Ｂの方が大きくなっている。なお、このような先端刺激片７の左右（錠剤搬送方向）両側隅部７ａ，７ｂは、平面視円弧状に面取りされている。
【００４３】
刺激部材３はその基端部５が調節手段６０を介して保持枠３９に着脱自在に装着されるとともに、刺激部材３は後述の仕切り体４６の直上位置に配される。すなわち刺激部材３の基端部５は保持枠３９の側壁に取付けられるもので、且つ保持枠３９の側壁に上下方向に位置調節可能に設けられている。
【００４４】
基端部５は先端刺激片７に比べて左右方向長さを長く設定されている。基端部５は、刺激部４の基部６を、接着等により支持固定する支持部６１と、その左右両側の延長部６２，６３とを有する。延長部６２，６３は同一垂直平面内に存在しており、支持部６１は延長部６２，６３に対して分配ロータ２６反対側に凹となる垂直面に沿う平板状に形成されている。支持部６１は、基端部５の錠剤搬送方向下流側寄りに配置されている。基部６と支持部６１とは略同一高さに設定されており、支持部６１の凹面６１ａに嵌合するようになっている。延長部６３には上下方向の長孔６３ａが左右対で形成されている。
【００４５】
ケース２３の後部に、保持枠３９の径方向に平行で位置ずれして後方に突出する取付け片６４，６５が形成されている。この取付け片６４，６５は、後方視して右側にある左右一対の取付け片６５，６５と、左側にある取付け片６４とから構成される。何れの取付け片６４，６５も後方への突出量は同一であり、その後端面は平坦面に形成されている。特に右側の取付け片６５，６５は、上下方向に長い取付け凹部６５ａ，６５ａをそれぞれ有している。
【００４６】
刺激部材３の基端部５は、右側にある一対の取付け片６５，６５に片持ち支持されるよう取付けられている。すなわち、基端部５の右側の延長部６３は左側の延長部６２に比べて大面積とされて、基端部５はその長孔６３ａに、取付け凹部６５ａ，６５ａに止めねじ６６が螺合するよう取付けられて、取付け凹部６５ａ，６５ａに対して高さ位置調整自在に、且つ前記平坦面に圧接するよう設けられる。すなわち、前記調節手段６０は、取付け片６５，６５、長孔６３ａを挿通する止めねじ６６からなる。
【００４７】
上記のようにして刺激部材３を取付けると、延長部６２の前面６２ａは取付け片６４の平坦面に当接されることになる。
【００４８】
なお、基端部５の上面には、下方に凹となる左右一対の嵌合溝６７，６７が形成されており、ケース２３の後部に、下方に突出して嵌合溝６７，６７に遊嵌する突起６８，６８が形成されている。
【００４９】
刺激部材３は、例えば合成樹脂から形成されており、特に刺激部４は錠剤２２を可及的に傷付けないようシリコン樹脂（シリコンゴム）、エラストマー、ウレタン等の柔軟性に富んだ材料によって形成されている。基端部５は、止めねじ６６を用いて確実に取付けることができるとともに、右側の延長部６２，６３を中心に水平面内である程度撓み得るような材料を選択することが好ましい。
【００５０】
ここで、前記仕切り体４６の構成を説明する。仕切り体４６は刺激部材３のほぼ直下に配置されて、薬剤収納路４０に収納された錠剤２２を所定個数（この場合一個）だけ、下方の排出孔８０に落下させるようにするものである。
【００５１】
仕切り体４６は、水平方向沿うように配置される仕切り板５０と、保持枠３９に取付けられる垂直方向に沿う取付け板４７とを備える。仕切り板５０はその上流側Ａ部は、分配ロータ２６側に向けて順次突出量が大きくなるよう平面視して湾曲した形状に形成されることで、薬剤収納路４０に挿入されている。上流側Ａから下流側Ｂは、分配ロータ２６の円筒面２８ａに接することなく所定の隙間を置いて配置されている。
【００５２】
取付け板４７は一側（右側）端部が折曲されて、仕切り板５０が水平となるよう前記取付け片６５，６５に止めねじ７０を介して固定されている。この仕切り体４６も刺激部材３と同様に、止めねじ７０の位置により上下方向に位置調整自在となっており、仕切り板５０の位置を変更することにより、仕切り体５０より下の長さを調整して、仕切り板５０の下方に存在する錠剤２２の個数を変更することが可能である。
【００５３】
上記構成の薬剤収容容器２０では、ケース２３内に錠剤２２を投入し、分配ロータ２６および壁部２７を相対回転させることにより、錠剤２２が攪拌されるものである。ここで、分配ロータ２６の外周面（滑り落ち案内面）形状は、基本的に略円錐形状であるが、その外周面の円錐状面２８に、周方向且つ円錐面の傾斜方向にカットした平面部３０が複数所定間隔置きに形成されている。つまり、分配ロータ２６の外周面には曲面１と平面２とで異なる勾配θ１，θ２の面が存在し、その境界でも外周面の形状に変化をもたせていることになる。この外周面の形状の変化と、分配ロータ２６および壁部２７の相対回転とがあいまって、錠剤２２に対する攪拌性能を向上させている。
【００５４】
さらに、この薬剤収容容器２０では、刺激部材３を設けており、その先端刺激片７の先端部１０は分配ロータ２６外周面近傍まで延長されているから、錠剤２２によく接触する。さらに、先端刺激片７は所定の厚みｔ１に設定されており、したがって、上流側Ａから下流側Ｂに搬送される際に、錠剤２２が先端刺激片７を乗越えて、その分だけ錠剤２２は持上げられることになる。このことからも、錠剤２２はさらによく攪拌されることになる。そうすると、錠剤２２は分配ロータ２６の外周面から滑り落ち易い状態となって、薬剤収納路４０に円滑に落とし込まれるようになる。また、先端刺激片７の左右両側隅部７ａ，７ｂは面取りされており角を設けていないから、その分、錠剤２２を損傷させることもない。
【００５５】
薬剤収納路４０に落とし込まれた錠剤２２は、仕切り体４６の仕切り板５０によって、その下方に必要以上の個数の錠剤２２が入るのを防止されつつ、壁部２７の回転によって排出孔８０に落下し、排出される。
【００５６】
上記のような動作を繰返しつつ、順次錠剤２２が排出されると、錠剤２２は次第に少なくなる。そして、錠剤２２が分配ロータ２６の外周面に散在するまで少なくなると、一般的に錠剤２２は攪拌されなくなるから、薬剤収納路４０に円滑に落下しにくくなり、錠剤２２が分配ロータ２６の外周面に載置されたまま分配ロータ２６とともに回転するというブリッジ現象が生じ易くなる。
【００５７】
しかしながら、この実施形態では、刺激部材３を設けており、その先端刺激片７の先端部１０は分配ロータ２６外周面近傍まで延長されているから、散在している錠剤２２が分配ロータ２６の回転とともに上流側Ａから下流側Ｂに搬送されてくると、その錠剤２２の厚み面２２ａが先端刺激片７の先端部１０における上流側Ａの隅部７ｂに当接する。そうすると、その錠剤２２は、先端刺激片７の隅部７ｂによって、その搬送が一時的に留保された状態となる。
【００５８】
このとき、仮に分配ロータ２６外周面のうち、錠剤２２が勾配が小さい平面２にあったとすると、分配ロータ２６が回転し続ければ、搬送が留保された錠剤２２の下側に急峻な勾配θ１を有する曲面１が到着することになる。そうすると、搬送が留保されてそれまで平面２に応じた傾斜角度で傾いていた錠剤２２が、曲面１の勾配θ１に沿うようになる。このため、その錠剤２２は、壁部２７の回転によって次に到着する薬剤収納路４０に円滑に落下することになる。
【００５９】
あるいは、場合によっては、錠剤２２は、先端刺激片７の隅部７ｂによって、その搬送が一時的に留保されることで微妙な動きをした際には、急峻な勾配θ１を有する曲面１が至るまでにその微妙な動きによって錠剤２２が次に到着する薬剤収納路４０に落下することも充分にあり得る。
【００６０】
このように、錠剤２２が散在するようになった際に一時的に錠剤２２の搬送を留保させる刺激部材３を設けて、分配ロータ２６外周面に勾配の変化をもたせてあるから、散在する錠剤２２があっても、これを薬剤収納路４０に落下させることができ、最後の残りの錠剤２２まで排出することが可能となる。
【００６１】
錠剤２２の攪拌・排出動作中に、仮に錠剤２２が先端刺激片７の隅部７ｂと壁部２７の案内平面４１との間に噛み込んだ場合、先端刺激片７は挿通孔８の範囲内で、上下方向に撓むことが可能となっており、先端刺激片７を可撓性に富んだ材質で形成していることにより、錠剤２２が損傷することを防止することができる。
【００６２】
錠剤２２が先端刺激片７の隅部７ｂと壁部２７の案内平面４１との間に噛み込んだ場合に、先端刺激片７は、分配ロータ２６の平面視仮想半割り線Ｆに対して突出部材における錠剤２２の搬送方向中心ｆを、上流側Ａに比べて下流側Ｂに距離δ２だけ位置ずれさせて、下流側Ｂを長くしているから、その分だけ、錠剤２２が先端刺激片７を設けている範囲内で薬剤収納路４０に落下しにくくさせることができ、少なくとも先端刺激片７を設けている範囲内では、薬剤収納路４０において仕切り板５０の上側に必要外の錠剤２２が入るのを防止することが可能になる。
【００６３】
上記実施形態では、刺激部材３は一箇所に設けたが、周方向の複数箇所設けてもよい。この場合も攪拌性能が向上する。
【図面の簡単な説明】
【００６４】
【図１】本発明の実施形態を示す薬剤収容容器の分配ロータの平面が側方に現れた状態での前後方向で縦に切断した断面図
【図２】同じく薬剤収容容器の分配ロータの曲面が側方に現れた状態での前後方向で縦に切断した断面図
【図３】同じく要部を中心とした水平方向（横方向）の断面図
【図４】同じく概略背面図
【図５】同じく刺激部材の単体図で（ａ）は平面図、（ｂ）は背面図、（ｃ）は（ａ）における矢線方向の断面図
【図６】同じく取付け状態を示す斜視図
【符号の説明】
【００６５】
１…曲面、２…平面、３…刺激部材、４…刺激部、５…基端部、６…基部、７…先端刺激片、８…挿通孔、１０…先端部、２０…薬剤収容容器、２１…本体、２２…錠剤、２３…ケース、２６…分配ロータ、２７…壁部、２８…円錐状面、２８ａ…円筒面、３０…平面部、３１…頂点部、３２…相対回転機構、３８…薬剤案内部、３９…保持枠、４０…薬剤収納路、４１…案内平面、４６…仕切り体、４７…取付け板、５０…仕切り板、６０…調節手段、６１…支持部、６２，６３…延長部、６４，６５…取付け片、Ａ…上流側、Ｂ…下流側、δ１…突出量、δ２…距離、ｔ１…厚み、θ１，θ２…勾配
【図１】
2007269371.tif 000003
【図２】
2007269371.tif 000004
【図３】
2007269371.tif 000005
【図４】
2007269371.tif 000006
【図５】
2007269371.tif 000007
【図６】
2007269371.tif 000008